(57)【要約】      （修正有）【課題】座面下方に上下揺動・定位をおこなえる支持アームを設けることで、操作を容易とした椅子の足置き装置を提供する。【解決手段】椅子の座面前端に揺動定位できる支持アーム２が定着され、支持アームに前後位置を調整して定位でき、且つ、支持面を備える足置き台３が設けられ、該支持アーム上端が座面に結合できる枢着具の間に枢着し、同時に一側の枢着具にラチェット部が設けられて支持アームの上端内に収容設置し弾性的に付勢され、ラチェット部も備える歯止め具と相互に噛合させる。よって、支持アームと枢着具の間の揺動定位を通じて、足置き台を座面下方に収納させることができる、若しくは、座面下方から引き出して定位した後、更に足置き台を外側へ押し出し、つまり、足置き台の支持面に着座者の伸ばした脚を置かせることができ、同時に足置き装置Ｓの操作も更に簡便になる。【選択図】図１
0003176037.tif 000002
【実用新案登録請求の範囲】
【請求項１】
調整定位用機構に枢設され、上下に揺動して定位できる支持アームと、前記支持アームに前後に摺動して定位できる足置き台とを、含み、
前記調整定位用機構には左右枢着具の間と枢着する前記支持アーム上端の枢結部を含み、且つ、ボールねじが設けられ、前記右側枢着具と前記枢結部を貫通してから前記枢結部内に収容設置されて外側へ弾性的に付勢され、その外端にラチェット部を備えて軸方向に左右移動できる歯止め具に挿嵌し、また、対応の前記左側枢着具に前記歯止め具の前記ラチェット部と噛合できるラチェット部が設けられ、従って前記ボールねじが更に前記左側枢着具を貫通した後で螺着させ、また、前記支持アーム両端の内側にそれぞれ定位凹部が設けられ、
前記足置き台の上に前記支持アームを挿合できるための滑合路が設けられ、前記滑合路内において前記支持アームとの間に圧縮コイルばねから付勢されて弾性的に対応する前記定位凹部内に嵌合できる定位部材が設けられることを特徴とする椅子の足置き装置。
【請求項２】
前記両枢着具は、マウントホルダーの両側に結合することを特徴とする請求項１に記載の椅子の足置き装置。
【請求項３】
前記左側枢着具の外側に複数の当接脚部を備え、且つ、外側へ弾性的に付勢される押しボタンが設けられ、前記押しボタンの複数の当接脚部が前記枢着具を貫通した後歯止め具の端面に当り止められ、押しボタンの押圧によって前記枢着具と歯止め具の間が元々噛合しているラチェット部を分離させることを特徴とする請求項１に記載の椅子の足置き装置。
【請求項４】
前記右側枢着具の内側に所定夾角を有する位置制限凹溝が設けられ、前記支持アームの枢結部の対応箇所に前記位置制限凹溝に移動できる当止部が凸設されることを特徴とする請求項１に記載の椅子の足置き装置。
【考案の詳細な説明】
【技術分野】
【０００１】
本考案は、椅子座面前端の下方に設けられた足置きスツールに関し、特に、座面下方から引き出された後で定位でき、且つその上に設けられた足置き台も外に向けて押し出すことができ、従って着座者の脚を快適に伸ばしても支えることができる足置きスツールに関する。
【背景技術】
【０００２】
一般的なオフィスチェアは、着座者が背中を後ろに寄りかかった際に背もたれでしっかりと身体を支え、肘掛で肘を支えることができることを除き、着座者の脚についての快適性というニーズが考えられていない。しかし例えば、マッサージチェア、安楽椅子或いはソファでは早期から該機能の装置が付属している。よって、オフィスチェア上にも同じ足置き機能を持たせるため、特許文献１のような実用新案（同じ事案も中国に特許を出願し、出願番号がＣＮ２０１０２０５４４７８９となった）が有る。その主要構造には、回転アーム２本と、回転アーム２本の間にヒンジ接続される載置面と、を含む。回転アーム２本は、椅子の座板とヒンジ接続されて椅子の座板に組み込まれ、両脚を快適に伸ばして載置面に置くことで、血液循環を促進させ、両脚の疲労を解消できるため、全ての異なる身長、脚の形、長脚の人に適用できる。
【０００３】
しかしながら、両回転アームを上に向けて水平にしてから載置面を外側に向けて押し出した後でなければ、着座者の脚を置くことができない。しかし着座者が略下向きの斜めに伸ばしたい時、このような機能が付いていない。また、該載置面は、両回転アームの末端にヒンジ接続し、同時に両回転アームの幅がまた座面の幅とほぼ同じであるため、着座者が載置面を使用する時、両脚を外に向けて開き、両回転アームを上に向けて揺動して引き出し、載置面を更に押し出すことで使用できる。載置面を押し出す操作は困難ではないが、逆に該載置面を内側に引き込む時、着座者が両脚を地面に下ろしてから、手で載置面を内側に引き込まなければならないという現象が起きる。押し出された載置面は着座者から遠く離れているため、着座者の操作上、困難と不便が起きる、或いは着座者は足の甲で載置面を内側に向かって引き戻そうと試すこともできるが、設計にそれに対応する構造又は装置がないため、従って操作上の困難となる。
【先行技術文献】
【特許文献】
【０００４】
【特許文献１】特許公告第Ｍ３９９６６３号「椅子の座板折畳み式足置き」
【考案の概要】
【考案が解決しようとする課題】
【０００５】
そこで本考案の目的は、前記従来の足置き装置操作上の不便性を改良するためで、座面前端下方に締め付けられ上下揺動・定位を行うことができる支持アームを提供することにあり、該支持アームがその上に支持面を備える足置き台に挿合され、且つ足置き台が支持アームに沿って摺動して押し出し或いは引き込んで定位させ、従って足置き台の揺動、押し出し又は引き込みの操作がより一層簡便になる。
【課題を解決するための手段】
【０００６】
上記目的を達成するため、本考案の足置き装置は、調整定位用機構に枢設され、上下揺動定位でき、且つ足置き台と挿合する支持アームを含む。該調整定位用機構には、該支持アーム上端にある枢結部を更に含み、枢結部が左右枢着具の間に設けられ、ボールねじが設けらて右側枢着具と枢結部を貫通して該枢結部内に収容設置し、弾性的に外側に押し出す、且つその外端にラチェット部を備える歯止め具を挿嵌し、同時に対応する左側枢着具に歯止め具と噛合できるラチェット部が設けられることで、ボールねじが左側枢着具に貫通した後で螺着させる。また支持アーム両端の間の内側に各々定位凹部が設けられ、該足置き台は支持アームを挿合できるための滑合路を更に設け、滑合路において支持アームとの間に弾性的に付勢されて対応する定位凹部に嵌合できる定位部材が設けられる。
【０００７】
上記実施形態において、該両枢着具がマウントホルダーの左右両側に結合する。
【０００８】
上記実施形態において、該左側枢着具の外側に複数の当接脚部を備え、且つ外側へ弾性的に付勢される押しボタンが設けられ、複数の当接脚部が該枢着具を貫通した後歯止め具の端面に当たり押し込むことができる。
【０００９】
上記実施形態において、該右側枢着具の内側に所定夾角を有する位置制限凹溝が設けられ、支持アームの枢結部の対応箇所に該位置制限凹溝に移動できる当止部が凸設される。
【００１０】
このため、上記本考案のオフィスチェア座面前端に締め付けた足置き装置は、その支持アームの揺動定位を通じて足置き台を座面下方に収納させることができる、若しくは座面前方に出して着座者の伸ばした脚を置くことができる。同時に該足置き台の押し出し或いは引き込みは、着座者が簡単に操作することができるだけではなく、更に脚で押し出し又は引き戻すことができるため、足置き装置の操作性は実際の応用ニーズを更に満たすことができる。
【図面の簡単な説明】
【００１１】
【図１】本考案の足置き装置がオフィスチェアに取り付けられた状態を示す図である。
【図２】本考案の足置き装置の前面立体分解図である。
【図３】本考案の足置き装置の背面立体分解図である。
【図４】本考案の足置き装置の調整定位用機構箇所の断面図である。
【図５】本考案の足置き装置の支持アームと足置き台間の断面図である。
【図６】本考案の足置き装置がオフィスチェア座面下に収納された状態を示す図である。
【図７】本考案の足置き装置が引き出した状態を示す図である。
【考案を実施するための形態】
【００１２】
図１を参照しながら説明する。本考案の足置き装置Ｓがオフィスチェアの座面前端下方に取り付けられ、主に座面に締め付けることができる調整定位用機構１を含み、調整定位用機構１には揺動定位できる支持アーム２を枢設し、該支持アーム２をその上に支持面を備える足置き台３に挿し込ませることができる。次に、図２、３及び図４を参照しながら説明する。該調整定位用機構１は、座面に結合できるマウントホルダー１０を更に含み、またマウントホルダー１０の両側に各々左右枢着具１１ａ、１１ｂが結合する。該支持アーム２の上端に設けられた枢結部２０は、両枢着具１１ａ、１１ｂの間に枢着し、同時に該右側枢着具１１ｂの内端箇所にその上に所定角度範囲を設定した位置制限凹溝１１１の凸部１１０が凸設され、対応する支持アーム２の枢結部２０端面に該凸部１１０を収容できるよう凹部２４が設けられ、且つ該凹部２４にちょうど該位置制限凹溝１１１内に挿入できる当止部２３が凸設され、これを通じて支持アーム２の揺動角度を所定範囲内にさせることができる。その他、更にボールねじ１７が設けられ同時に枢着具１１ｂと枢結部２０を貫通した後、順序通り各々圧縮コイルばね１２と歯止め具１３を挿嵌してから別の枢着具１１ａを貫通してナット１４と締め付けて結合し、且つ該歯止め具１３の一端に設けられた多辺形の回転防止部１３１は、枢結部２０の対応箇所に設けられた多辺形の収容凹部２１とマッチして相互挿合され、同時に該圧縮コイルばね１２もちょうど収容凹部２１内に収容され、歯止め具１３に対して外側への弾性的な付勢作用が発生する。また該歯止め具１３の他端にラチェット部１３２が設けられ、対向箇所の左側枢着具１１ａにある凹部に設けられた対応のラチェット部１１３と相互に噛合させることができる。次に、該枢着具１１ａの外側に押しボタン１５が設けられ、該押しボタン１５に複数の当接脚部１５１が繞設され、各当接脚部１５１が該枢着具１１ａに設けられた各貫通孔１１２を貫通させた後で係合させることができる。同時に各当接脚部１５１の末端を歯止め具１３の端面に当たり止められ、更に該押しボタン１５と枢着具１１ａの間に圧縮コイルばね１６を取り付け、該圧縮コイルばね１６が押しボタン１５に対して外側へ弾性的に付勢できるようにさせる。つまり押しボタン１５が押された時、その当接脚部１５１を通じて歯止め具１３に対して押し当て作用が発生し、歯止め具１３のラチェット部１３２が枢着具１１ａのラチェット部１１３との噛合状態から離脱させ、即ち支持アーム２に揺動の動作を行わせることができる。逆に、押しボタン１５の押圧力を解放した後、該歯止め具１３と押しボタン１５は圧縮コイルばね１２と圧縮コイルばね１６の反発作用により、押しボタン１５を所定位置に復帰させる以外に、更に歯止め具１３と枢着具１１ａ両者のラチェット部１３２、１１３を噛合状態になるよう維持させ、つまり支持アーム２が所定角度に揺動した後で定位する。
【００１３】
その他、図５を参照しながら説明する。該支持アーム２の内側に複数の定位凹部２２が凹設され、また支持アーム２が足置き台３に設けられた滑合路３１内に挿し込むことができる。滑合路３１の上端にある切欠部に滑合路３１の一部となる裏蓋座３２が固設され、そして該裏蓋座３２と支持アーム２の間に圧縮コイルばね３４から付勢される定位部材３３が収容設置され、定位部材３３が弾性付勢により対応する凹部２２内に入り込んで嵌合させるため、足置き台３は支持アーム２に沿って前後に摺動できるようになり、支持アーム２の両端にある凹部２２の設置を通じて、足置き台３が押し出し或いは引き戻した時に定位させることができる。
【００１４】
よって、図６を参照しながら説明する。該足置き装置Ｓを使用していない時、下に向かって畳み込むことで座面下方に収納する。使用したい時、図７に示すように、支持アーム２を通じて引き出して定位した後、足置き台３は座面下方から座面前方に引き出し、そして足置き台３を支持アーム２に沿って外向きに押し出た後で定位し、足置き台３を着座者の伸ばした脚の支えるところに位置させる。このため、足置き装置Ｓ全体の操作が簡単だけではなく、且つ足置き台３の押し出し或いは引き戻しは、いずれも着座者の脚で押し当て或いは引っ掛けて戻すことを通じて簡単に実現でき、着座者の操作が更に簡便になる。
【符号の説明】
【００１５】
Ｓ…足置き装置、
１…調整定位用機構、
１０…マウントホルダー、
１１ａ、１１ｂ…枢着具、
１１０…凸部、
１１１…位置制限凹溝、
１１２…貫通孔、
１１３…ラチェット部、
１２…圧縮コイルばね、
１３…歯止め具、
１３１…回転防止部、
１３２…ラチェット部、
１４…ナット、
１５…押しボタン、
１５１…当接脚部、
１６…圧縮コイルばね、
１７…ボールねじ、
２…支持アーム、
２０…枢結部、
２１…収容凹部、
２２…定位凹部、
２３…当止部、
２４…凹部、
３…足置き台、
３１…滑合路、
３２…裏蓋座、
３３…定位部材、
３４…圧縮コイルばね。
【図１】
0003176037.tif 000003
【図２】
0003176037.tif 000004
【図３】
0003176037.tif 000005
【図４】
0003176037.tif 000006
【図５】
0003176037.tif 000007
【図６】
0003176037.tif 000008
【図７】
0003176037.tif 000009